(57)【要約】      （修正有）【課題】擬似線香が発光及び形状的にリアリティを有し、良好な品質と生産性で広く利用される電子線香器を提供する。【解決手段】電子線香器１は、香炉状容器２内に電池３と電池で発光する発光体４を設置し回路５を組む。回路５には発光体４を発光・消灯させる切替スイッチ６を設け、香炉状容器２の外表面に設置すれば操作し易いので良い。発光体４の光は、光ファイバー７を通じ擬似線香１０の下端部から先端に放光される。【選択図】図２
0003135936.tif 000002
【実用新案登録請求の範囲】
【請求項１】
香炉状容器の内部に電池と電池を電源とする発光体を有し、該香炉状容器に光ファイバーの表面に不透明な被覆層を設けた擬似線香を挿接し、該発光体の光を擬似線香の先端部から放光する電子線香器において、該光ファイバーの先端部に透光性材料で形成された光散乱用部材を、該被覆層に被せることなく同径に段差なく設置した擬似線香であることを特徴とする電子線香器。
【請求項２】
光散乱用部材が、射出成形で形成され、底面に光ファイバーが嵌合設置される凹部を有し先端が略砲弾形状であることを特徴とする請求項１に記載の電子線香器。
【請求項３】
光散乱用部材と光ファイバーの嵌合面が光散乱処理されたことを特徴とする請求項１又は２に記載の電子線香器。
【請求項４】
電池がボタン電池で発光体が赤色ＬＥＤであることを特徴とする請求項１から３のいずれかに記載の電子線香器。
【考案の詳細な説明】
【技術分野】
【０００１】
本考案は、仏事に用いる電気で発光する電子線香器に関する。
【背景技術】
【０００２】
従来、香炉状容器の内部に電池と電池を電源として発光する発光体を有し、該香炉状容器に設けた開口部に光ファイバーの表面に不透明な被覆層を設けた擬似線香を挿接し、該発光体の光を擬似線香の下端部から受け先端部から放光する電子線香器が報告されている。
【特許文献１】実登第３０５１９９０号公報
【特許文献２】特開２００２−２７２５９２号公報
【考案の開示】
【考案が解決しようとする課題】
【０００３】
従来の電子線香器は、擬似線香が発光及び形状的にリアリティ（現実感）を得ず、“本物の線香”（以下、線香）との違和感を覚える。
【０００４】
特許文献１にある電子線香器によれば、線香の太さで線香のように色付けした光ファイバーの先端部数ミリの周面に乱反射面を形成しているので、発光する部位は乱反射面を形成した光ファイバーの先端部数ミリの表面となる。燃焼している線香の灰が落ちた瞬間は例外的にそのような状況になるが、線香は、発光している燃焼部が瞬時に灰になっていくので燃焼部の上に発光しない灰が積もる。即ち、線香は先端部の内部が光り、先端部表面は（灰が多ければ光らない部分も生じるが）朧に光るイメージである。よって、擬似線香は、先端の透光性材料で形成されたところを“発光部”とすると、発光部の内部が光らないことはリアリティを得ない。
【０００５】
特許文献２にある電子線香器によれば、線香の太さで線香のように色付けした光ファイバーの先端部に長さ数ｍｍ程の透明な熱収縮チューブを被せるので、発光部となる該熱収縮チューブの内面が発光するのでリアリティを得るが、熱収縮チューブを被せたために擬似線香の先端が２段になり形状的に違和感を覚える。
【０００６】
本考案は、擬似線香が発光及び形状的にリアリティを有し、良好な品質と生産性で広く利用される電子線香器を提供することを目的とする。
【課題を解決するための手段】
【０００７】
本考案は、擬似線香の発光部において、該発光部の内部を発光させかつ発光部を朧に光らせるために光ファイバーの先端部に透光性材料で形成された光散乱用部材を設置し、かつ、擬似線香の先端部に段差が生じないように該光散乱用部材を光ファイバーの被覆層と同じ径にして組立設置した擬似線香とする。
【０００８】
さらには、擬似線香の安定した形状と効率良い生産のために、光散乱用部材が射出成形で形成され、底面に光ファイバーが嵌合設置される凹部を有し先端が燃焼している線香の形状に近似する略砲弾形状にするのが良い。
【０００９】
さらには、擬似線香の発光部の内部が強く光るようにするため、光散乱用部材と光ファイバーの嵌合面が、シボ処理やマット調或いは接着剤など発光部部材と異質の素材を塗布するなどの光散乱処理するのが好ましい。
【００１０】
さらには、電池がボタン電池で発光体が赤色ＬＥＤである電子線香器とする。
【考案の効果】
【００１１】
本考案の電子線香器によれば、擬似線香が、発光部の内部が発光することで線香が実際に燃焼しているが如くに見えるリアリティを得、形状的にも擬似線香先端に段差を有さない形状がリアリティを得る。
【００１２】
また、光散乱用部材が射出成形で形成され底面に光ファイバーが嵌合設置される凹部を有し先端が略砲弾形状であることで、安定した擬似線香形状と生産が得られ、燃焼している線香の先端形状を彷彿とさせるリアリティを得ることができる。
【００１３】
さらには、光散乱用部材と光ファイバーの嵌合面が強く光り、より一層、発光する線香のリアリティを得ることができる。
【００１４】
さらに、構成部品を極小なものにすることで、超小型の電子線香器を作ることができ、ペット仏壇などのコンパクト仏具にも使用でき、さらには携帯もできることで幅広い利用展開が実現する。
【考案を実施するための最良の形態】
【００１５】
以下に本発明の実施例を図面に基づいて説明する。図１は本発明の実施例１の電子線香器の正面図。図２は香炉状容器内などイメージ的に表した構造説明図。図３は擬似線香の断面参考図。図４は発光部付近の断面参考図。図５は実施例２の発光部付近の断面参考図で図４に対応する。図６は実施例３の発光部付近の断面参考図で同じく図４に対応する。
【実施例１】
【００１６】
図１から３において説明すれば、本発明の電子線香器１は、香炉状容器２内に電池３と電池で発光する発光体４を設置し回路５を組む。回路５には発光体４を発光・消灯させる切替スイッチ６を設け、香炉状容器２の外表面に設置すれば操作し易いので良い。発光体４の光は、光ファイバー７を通じ擬似線香１０の下端部から先端に放光される。光ファイバー７はガラス製でも良いがコストや剛性でＰＭＭＡやＰＣなどの透光性が良好な樹脂製とするのが好ましい。また、光ファイバー７を線香に似せるための線香の色に似た不透明素材の被覆層８は、濃緑色の熱収縮チューブやディッピング塗装で形成すれば良い。被覆層８と同径の光散乱用部材９を光ファイバー７に嵌合し段差の無い擬似線香１０を得る。光散乱用部材９は不透明な樹脂でなければ乳白色などの若干透明性が落ちる素材であっても良いが、ＰＭＭＡやＰＣ或いは透明ＡＢＳなど透光性が良く光ファイバー７と良好な接着性を有する樹脂で形成すれば扱い易く好ましい。擬似線香１０は香炉状容器２表面に設けた穴に嵌合するなどし設置すれば良い。電池３や発光体４は多種多様なものがあるので電子線香器１の使用条件に合致するものを選定すれば良い。例えば、発光体４ではＬＥＤは球切れが無く明るいので好ましく、特に赤色ＬＥＤを用いれば線香の燃焼色に近似するので色調整する設備が不要となり好ましい。電池３では、電池交換を極力しないで済む利便性を得るなら容量の大きい乾電池を適量用いれば良く、電子線香器１を極限まで小さくして広範囲な利用展開を図るには、大きさが極めて小さいボタン電池を用いれば良い。また、香炉状容器２の底部を着脱自在にしておけば電池交換やメンテナンスが容易で好ましい。
【００１７】
図４について説明すれば、光ファイバー７先端面は被覆層８の端面と同じでも良いが、光ファイバー７先端面が突出していることが線香が燃えているリアリティを得、かつ、明るく見えるので好ましく、また、光散乱用部材９と凸凹の嵌合構造となり安定した効率良い設置ができるので良い。光散乱用部材９の形状は被覆層８と同径の略砲弾型とし、底面に光ファイバー７が嵌合される凹部を設ける。光散乱用部材９は多数個取りの射出成形で形成し安定した品質と低コスト化を得る。光ファイバー７と光散乱用部材９の嵌合境界面で光が屈折散乱し発光部１１の内部が光って見え、発光のリアリティを得る。さらには、光散乱用部材９を、マイカや金属等微粉末を添加しての形成、又は相溶性の悪い樹脂をブレンドしての形成、或いは表面を荒らしマット調にするなどは光散乱効果を高め、よりリアリティある発光を得ることができるので好ましい。
【実施例２】
【００１８】
図５について説明すれば、光散乱用部材９と光ファイバー７の嵌合面が光散乱処理１２として夫々マット調と切りっ放しで荒らされており、結果、嵌合面が強く発光する。
【実施例３】
【００１９】
図６について説明すれば、光散乱用部材９と光ファイバー７の嵌合面で光散乱処理１２として透光性を有する接着剤が塗布されており、結果、接着剤及び境界面が強く発光する。
【図面の簡単な説明】
【００２０】
【図１】本発明の電子線香器の正面図。（実施例１）
【図２】構造説明図。（実施例１）
【図３】擬似線香の断面参考図。（実施例１）
【図４】発光部付近の断面参考図。（実施例１）
【図５】発光部付近の断面参考図。（実施例２）
【図６】発光部付近の断面参考図。（実施例３）
【符号の説明】
【００２１】
１    電子線香器
２    香炉状容器
３    電池
４    発光体
５    回路
６    切替スイッチ
７    光ファイバー
８    被覆層
９    光散乱用部材
１０    擬似線香
１１    発光部
１２    光散乱処理
【図１】
0003135936.tif 000003
【図２】
0003135936.tif 000004
【図３】
0003135936.tif 000005
【図４】
0003135936.tif 000006
【図５】
0003135936.tif 000007
【図６】
0003135936.tif 000008